(57)【要約】【課題】照明器具の本体を的確に梱包できる、簡易な構造の照明器具の梱包資材を提供する。【解決手段】本発明に係る照明器具の梱包資材９００は、平面状の本体載置部１００と、折り曲げることで照明器具の本体５００を支持できる一対の本体支持部３００と、を有する。照明器具の本体５００は、照明器具の梱包資材９００に梱包され、梱包用外箱７００に収納される。一対の本体支持部３００同士をガムテープ等の接合部材６００で接合することも可能である。【選択図】図２
2009234639.tif 000002
【特許請求の範囲】
【請求項１】
照明器具の本体を載置する、平面状の本体載置部と、
前記本体載置部に少なくとも２つ形成され、折り曲げることで前記照明器具の本体を支持できる本体支持部と、を有する、
ことを特徴とする照明器具の梱包資材。
【請求項２】
前記本体載置部に対して折り曲げることで、前記照明器具の収納される梱包用外箱の潰れを防止する潰れ防止部が、前記本体載置部に少なくとも２つ形成されている、
ことを特徴とする請求項１記載の照明器具の梱包資材。
【請求項３】
前記本体支持部は、前記本体載置部の点対称の位置にそれぞれ形成されている、
ことを特徴とする請求項１又は２記載の照明器具の梱包資材。
【請求項４】
前記本体支持部は、前記照明器具の本体の円周上を等間隔で、前記照明器具の本体を支持するように複数設けられている、
ことを特徴とする請求項１又は２記載の照明器具の梱包資材。
【請求項５】
前記本体載置部は多角形の形状であり、
前記本体支持部は、前記本体載置部の前記多角形の辺に形成されている、
ことを特徴とする請求項３又は４記載の照明器具の梱包資材。
【請求項６】
前記潰れ防止部は、前記平面上の本体載置部に対して略垂直方向に折り曲げられる、
ことを特徴とする請求項１乃至５の何れ１項に記載の照明器具の梱包資材。
【請求項７】
前記梱包資材の材料は、段ボールである、
ことを特徴とする請求項１乃至６の何れか１項に記載の照明器具の梱包資材。
【請求項８】
平面状の本体載置部に照明器具の本体を載置し、
前記本体載置部に対し折り曲げられて形成される、少なくとも２つの本体支持部で、前記照明器具の本体を支持し、
前記照明器具の本体を載置支持させて梱包用外箱に収納する、
ことを特徴とする照明器具の梱包方法。
【請求項９】
さらに、前記本体載置部に少なくとも２つ形成されている、前記照明器具の収納される梱包用外箱の潰れを防止する潰れ防止部を、前記本体載置部に対して略垂直方向に折り曲げ、前記照明器具の本体を梱包用外箱に収納する、
ことを特徴とする請求項８記載の照明器具の梱包方法。
【請求項１０】
前記本体支持部は、前記本体載置部の点対称の位置にそれぞれ形成されて対となっている、
ことを特徴とする請求項８又は９記載の照明器具の梱包方法。
【請求項１１】
前記本体支持部は、前記照明器具の本体の円周上を等間隔で、前記照明器具の本体を支持するように複数設けられている、
ことを特徴とする請求項８又は９記載の照明器具の梱包方法。
【請求項１２】
前記本体載置部は多角形の形状であり、
前記本体支持部は、前記本体載置部の前記多角形の辺に形成されている、
ことを特徴とする請求項１０又は１１記載の照明器具の梱包方法。
【請求項１３】
折り曲げられた前記本体支持部の上面と前記照明器具の本体とを跨いで接合部材を貼り付け、前記本体支持部を前記照明器具の本体に前記接合部材で接合することで、前記照明器具の本体を固定する、
ことを特徴とする請求項８乃至１２の何れか１項に記載の照明器具の梱包方法。
【請求項１４】
前記一対の本体支持部同士を接合部材で接合することで、前記照明器具の本体を固定する、
ことを特徴とする請求項１０記載の照明器具の梱包方法。
【請求項１５】
前記接合部材は、セロハンテープ、ガムテープ、シュリンクフィルム、接着剤、紙テープ、薄膜高分子フィルム、及びこれらの組合せである、
ことを特徴とする請求項１３又は１４記載の照明器具の梱包方法。
【請求項１６】
折り曲げられた前記本体支持部と前記照明器具の本体との間に接着部材を設け、前記本体支持部を、接着部材を介して前記照明器具の本体に接合する、
ことを特徴とする請求項８乃至１２の何れか１項に記載の照明器具の梱包方法。
【請求項１７】
前記接着部材は、接着剤、両面接着テープ、面ファスナ、及びこれらの組合せである、
ことを特徴とする請求項１６記載の照明器具の梱包方法。
【請求項１８】
前記梱包用外箱は、段ボールで形成され、
前記潰れ防止部は、前記本体載置部に対して略垂直方向に折り曲げられることで、その繊維方向が前記梱包用外箱の厚み方向となる、段ボールで形成された板状体であり、
前記板状体である潰れ防止部と前記梱包用外箱の段ボールの繊維方向とが直交するように、前記照明器具の本体を梱包用外箱に収納する、
ことを特徴とする請求項９記載の照明器具の梱包方法。
【請求項１９】
前記本体載置部が前記梱包用外箱の内部に接する、
ことを特徴とする請求項８乃至１８の何れか１項に記載の照明器具の梱包方法。
【請求項２０】
さらに、前記梱包用外箱の潰れを防止する潰れ防止部材を梱包用外箱に収納する、
ことを特徴とする請求項８記載の照明器具の梱包方法。
【発明の詳細な説明】
【技術分野】
【０００１】
本発明は、照明器具の梱包資材、及び、その照明器具の梱包資材を使用した照明器具の梱包方法に関する。
【背景技術】
【０００２】
照明器具の梱包資材としては、例えば、特許文献１に記載されるものがある。この梱包資材は、照明器具の本体を載置する本体載置部と、その本体載置部の略中央に形成される台座部と、を有する。
【０００３】
台座部は、照明器具のせん刃が挿入される溝穴を有する。照明器具のせん刃が台座部の溝穴に挿入され、溝穴に沿ってせん刃が回転することで、せん刃が係止して、照明器具が支持される。
【特許文献１】特開２００２−１６６９７２号公報
【０００４】
しかし、上述の梱包資材を使用した梱包方法では、台座部のような複雑な支持部材を利用しているうえに、梱包資材のコストも増加する。
【発明の開示】
【発明が解決しようとする課題】
【０００５】
本発明は上述の問題に鑑みてなされたものであり、コストがかからず、複雑な部材を利用しない照明器具の梱包資材、及び、そのような梱包資材を使用した照明器具の梱包方法を提供することを目的とする。また、簡易な構造の照明器具の梱包資材、及び、そのような梱包資材を使用して的確に照明器具を梱包できる照明器具の梱包方法を提供することを目的とする。
【課題を解決するための手段】
【０００６】
上記目的を達成するため、この発明の第１の観点に係る照明器具の梱包資材は、
照明器具の本体を載置する、平面状の本体載置部と、
前記本体載置部に少なくとも２つ形成され、折り曲げることで前記照明器具の本体を支持できる本体支持部と、を有する、ことを特徴とする。
【０００７】
また、前記本体載置部に対して折り曲げることで、前記照明器具の収納される梱包用外箱の潰れを防止する潰れ防止部が、前記本体載置部に少なくとも２つ形成されている、ことも可能である。
【０００８】
また、前記本体支持部は、前記本体載置部の点対称の位置にそれぞれ形成されている、ことも可能である。
【０００９】
また、前記本体支持部は、前記照明器具の本体の円周上を等間隔で、前記照明器具の本体を支持するように複数設けられている、ことも可能である。
【００１０】
また、前記本体載置部は多角形の形状であり、
前記本体支持部は、前記本体載置部の前記多角形の辺に形成されている、ことも可能である。
【００１１】
また、前記潰れ防止部は、前記平面上の本体載置部に対して略垂直方向に折り曲げられる、ことも可能である。
【００１２】
また、前記梱包資材の材料は、段ボールである、ことも可能である。
【００１３】
また、上記目的を達成するため、この発明の第２の観点に係る照明器具の梱包方法は、
平面状の本体載置部に照明器具の本体を載置し、
前記本体載置部に対し折り曲げられて形成される、少なくとも２つの本体支持部で、前記照明器具の本体を支持し、
前記照明器具の本体を載置支持させて梱包用外箱に収納する、ことを特徴とする。
【００１４】
さらに、前記本体載置部に少なくとも２つ形成されている、前記照明器具の収納される梱包用外箱の潰れを防止する潰れ防止部を、前記本体載置部に対して略垂直方向に折り曲げ、前記照明器具の本体を梱包用外箱に収納する、ことも可能である。
【００１５】
また、前記本体支持部は、前記本体載置部の点対称の位置にそれぞれ形成されて対となっている、ことも可能である。
【００１６】
また、前記本体支持部は、前記照明器具の本体の円周上を等間隔で、前記照明器具の本体を支持するように複数設けられている、ことも可能である。
【００１７】
また、前記本体載置部は多角形の形状であり、
前記本体支持部は、前記本体載置部の前記多角形の辺に形成されている、ことも可能である。
【００１８】
また、折り曲げられた前記本体支持部の上面と前記照明器具の本体とを跨いで接合部材を貼り付け、前記本体支持部を前記照明器具の本体に前記接合部材で接合することで、前記照明器具の本体を固定する、ことも可能である。
【００１９】
また、前記一対の本体支持部同士を接合部材で接合することで、前記照明器具の本体を固定する、ことも可能である。
【００２０】
また、前記接合部材は、セロハンテープ、ガムテープ、シュリンクフィルム、接着剤、紙テープ、薄膜高分子フィルム、及びこれらの組合せである、ことも可能である。
【００２１】
また、折り曲げられた前記本体支持部と前記照明器具の本体との間に接着部材を設け、前記本体支持部を、接着部材を介して前記照明器具の本体に接合する、ことも可能である。
【００２２】
また、前記接着部材は、接着剤、両面接着テープ、面ファスナ、及びこれらの組合せである、ことも可能である。
【００２３】
また、前記梱包用外箱は、段ボールで形成され、
前記潰れ防止部は、前記本体載置部に対して略垂直方向に折り曲げられることで、その繊維方向が前記梱包用外箱の厚み方向となる、段ボールで形成された板状体であり、
前記板状体である潰れ防止部と前記梱包用外箱の段ボールの繊維方向とが直交するように、前記照明器具の本体を梱包用外箱に収納する、ことも可能である。
【００２４】
また、前記本体載置部が前記梱包用外箱の内部に接する、ことも可能である。
【００２５】
さらに、前記梱包用外箱の潰れを防止する潰れ防止部材を梱包用外箱に収納する、ことも可能である。
【発明の効果】
【００２６】
本発明に係る照明器具の梱包資材は簡易な構造であり、また、本発明に係る照明器具の梱包方法は的確に照明器具を梱包できる。
【発明を実施するための最良の形態】
【００２７】
（実施形態１）
実施形態１に係る照明器具の梱包資材９００は、図１に示されるように、本体載置部１００と、一対の本体支持部３００と、を有する。
【００２８】
本体載置部１００は、例えば正八角形等の平面状であり、本体載置部１００には照明器具の本体が載置される。
【００２９】
本体載置部１００に載置される照明器具としては、例えば、中央部が凸になった略円盤状の本体を有する照明器具がある。
【００３０】
本体支持部３００は、例えば二等辺三角形であり、本体載置部１００の点対称の位置にそれぞれ形成されている。
【００３１】
この本体支持部３００は、点線３０１で折り曲げることができる。
【００３２】
図２に示されるように、中央部の凸を上方にして照明器具の本体５００は、本体載置部１００に載置される。
【００３３】
そして、本体支持部３００は、折れ線３０１で折れ曲げられ、照明器具の本体５００を包み込むようにして、照明器具の本体５００を支持する。
【００３４】
照明器具の本体５００の支持を確実なものにするために、一対の本体支持部３００同士は接合部材６００で接合される。
【００３５】
本体載置部１００に載置され、本体支持部３００で支持された照明器具の本体５００は、図２の矢印で示されるように、外箱開口７１０から梱包用外箱７００内部に収納される。
【００３６】
本体載置部１００が梱包用外箱７００の内部にちょうど収納されるように、本体載置部１００の横幅Ｌｗは梱包用外箱７００の横幅Ｂｗよりもやや小さい。
【００３７】
また、本体載置部１００の縦幅Ｌｖは梱包用外箱７００の縦幅Ｂｖよりもやや小さい。
【００３８】
このように、本体載置部１００の横幅Ｌｗと縦幅Ｌｖとを設定することで、本体載置部１００に載置された照明器具の本体５００が、梱包用外箱７００内部で、がたつきにくい。
【００３９】
また、梱包用外箱７００の厚さ方向の長さは、照明器具の本体５００の厚みとほぼ同じくらいか、若しくは、それよりもやや長い。そのため、照明器具の本体５００が、梱包用外箱７００内部で、上下に（梱包用外箱７００の厚み方向に）がたつきにくい。
【００４０】
なお、図２に示されるように、梱包用外箱７００の潰れを防止する潰れ防止部材５５０を、梱包される照明器具の本体５００と一緒に梱包用外箱７００の内部に収納することもできる。
【００４１】
このように、本実施形態に係る照明器具の梱包資材９００は、平面状の本体載置部１００と、折り曲げることで照明器具の本体５００を支持できる一対の本体支持部３００と、を有する簡易な構造である。
【００４２】
さらに、本体載置部１００に照明器具の本体５００を載置した後に、本体支持部３００を折り曲げて照明器具の本体５００を包み込むように支持するから、照明器具の本体５００を的確に梱包できる。
【００４３】
（実施形態２）
実施形態２に係る照明器具の梱包資材９００は、実施形態１と異なり、図３に示されるように、一対の潰れ防止部２００が本体載置部１００に形成されている。この潰れ防止部２００は、後述するように、照明器具の収納される梱包用外箱７００の潰れを防止する。
【００４４】
図３には、実施形態２に係る照明器具の梱包資材９００の組み立てられる前の状態が示される。
【００４５】
照明器具の梱包資材９００の材料は、例えば段ボールで形成される。
【００４６】
略二等片三角形の本体支持部３００は、略正八角形状の本体載置部１００の、図面右斜め上方向、図面右斜め下方向、図面左斜め上方向、図面左斜め下方向、の各辺にそれぞれ形成されている。
【００４７】
本体支持部３００は、略台形の下部支持部３２０と、その下部支持部３２０よりもやや小型の略台形の上部支持部３３０と、を有する。
【００４８】
本体支持部３００は、折れ線３０１及び折れ線３０２で、折り曲げることができる。
【００４９】
下部支持部３２０は、折れ線３０１で折り曲げられ、図４に示されるように、本体載置部１００に対して垂直方向に形成される。なお、図４は、照明器具の梱包資材９００が組み立てられた状態を示すものである。
【００５０】
上部支持部３３０は、折れ線３０２で折り曲げられ、図４に示されるように、下部支持部３２０に対して斜め上方に形成される。
【００５１】
潰れ防止部２００は、図３に示されるように、略長方形状の潰れ防止本体部２１１と、その潰れ防止本体部２１１の両端部にそれぞれ形成された潰れ防止側面部２１２と、それぞれの潰れ防止側面部２１２の延長上に形成された延長部２１３と、を有する。
【００５２】
潰れ防止部２００は、折れ線２０１及び折れ線２０２で、折り曲げることができる。
【００５３】
潰れ防止本体部２１１は、折れ線２０１で折り曲げられ、図４に示されるように、本体載置部１００に対して垂直方向に形成される。
【００５４】
潰れ防止側面部２１２は、折れ線２０２で折り曲げられ、図４に示されるように、潰れ防止本体部２１１に対して例えば斜め１３５度程度に曲げられて形成される。
【００５５】
本体載置部１００には、角がアールに形成されている一対の穴部１１０が設けられている。例えば、照明器具の梱包資材９００を組立した後に、この穴部１１０に指をかけて持ち運ぶことができる。
【００５６】
それぞれの本体支持部３００には、一組の円形の穴部３４０が形成されている。後述するように、この穴部３４０に紐等を通すことができる。
【００５７】
図４に示されるように、延長部２１３の外側面は、下部支持部３２０の内側面と当接している。なお、外側面とは、照明器具の梱包資材９００を組み立てた状態にて、外界から本体載置部１００の中央付近への方向へ臨む面である。内側面とは、照明器具の梱包資材９００を組み立てた状態にて、本体載置部１００の中央付近から外界への方向へ臨む面である。
【００５８】
下部支持部３２０の外側面と潰れ防止側面部２１２の外側面とを、例えばテープ等で接合すれば、より強固に照明器具の梱包資材９００を組み立てることができる。
【００５９】
図５に示されるように、潰れ防止本体部２１１及び潰れ防止側面部２１２の高さは、折り曲げられている上部支持部の上端部よりも高い。そのため、後述するように、照明器具の本体５００が梱包用外箱７００に収納されると、潰れ防止本体部２１１及び潰れ防止側面部２１２が、梱包用外箱７００の厚み方向の潰れを防止する。
【００６０】
図６に示されるように、上部支持部３３０は斜め方向に折り曲げられて爪状となっている。そのため、照明器具の本体５００が梱包用外箱７００に収納されると、このそれぞれの爪状の上部支持部３３０が照明器具の本体５００を支える。
【００６１】
図７に示されるように、折り曲げられているそれぞれの上部支持部３３０は、本体載置部１００の中央部の方向へ迫り出している。
【００６２】
このようにして組み立てられた照明器具の梱包資材９００に、照明器具の本体５００を梱包する場合は、まず、本体載置部１００の中央部の方向へ迫り出している、爪状の上部支持部３３０を押し広げ、平面状の本体載置部１００に照明器具の本体５００を載置する。
【００６３】
図８に示されるように、例えば、略円盤状の照明器具の本体５００は、中央部の凸を上方に向け、本体載置部１００に載置される。
【００６４】
一対の潰れ防止本体部２１１のそれぞれの内側面が、照明器具の本体５００に接することにより、照明器具の本体５００を支える。
【００６５】
そして、潰れ防止側面部２１２及び延長部２１３の内側面も、照明器具の本体５００に接することにより、照明器具の本体５００を支える。
【００６６】
また、折り曲げられた上部支持部３３０も、照明器具の本体５００に接することにより、照明器具の本体５００を包み込むように支持する。上述したように、折り曲げられた上部支持部３３０は爪状であるから、収納された照明器具の本体５００を上下方向（梱包用外箱７００の厚み方向）にがたつきにくくする。
【００６７】
そして、図９に示されるように、一対の本体支持部３００同士を接合部材６００で接合することで、照明器具の本体５００を固定する。
【００６８】
接合部材６００としては、例えば、ガムテープ等を用いることができるが、これに限定されず、セロハンテープやシュリンクフィルム、若しくは、接着剤等も使用することができ、本体支持部３００同士を接合するものであれば、これらに限定されない。
【００６９】
接合部材６００として接着剤を使用する場合は、一方の本体支持部３００と他方の本体支持部３００とを結ぶように、チューブ等から接着剤を垂らす。接着剤は、ハケ等で塗布することもできる。そして、所定の時間後に接着剤が固化することで、接着剤は一対の本体支部３００同士を接合する接合部材６００となる。
接着剤は、液体状ものでもよいが、ゲル状のものが好ましい。また、接着剤は、固化するまでの時間を短くできるので、速乾性のものが好ましい。また、接着剤が固化した後は一定の力を加えることで簡単かつきれいに剥離できるように、接着剤は低粘着性のものが好ましい。
接着剤は、無機系接着剤、有機系接着剤、天然系接着剤、合成系接着剤等の種々のものを使用できるが、例えば、ウレタン樹脂系接着剤を使用できる。
【００７０】
さらには、接合部材６００として、例えば紙テープ及び接着剤を用いることもできる。かかる場合は、一方の上部支持部３３０の上面に接着剤を所定量塗布し、また、他方の上部支持部３３０の上面にも接着剤を所定量塗布する。そして、例えば紙テープをそれら塗布した接着剤の上に貼り付ける。所定の時間後に接着剤が固化することで、紙テープ及び接着剤は、一対の本体支持部３００同士を接合する接合部材６００となる。接着剤の上に貼り付けるものは、紙テープに限定されず、例えば薄膜高分子フィルム等の種々のものが使用できる。
【００７１】
シュリンクフィルムを使用する場合は、一対の本体支持部３００同士を接合するのみならず、折れ曲げた本体支持部３００で支持される照明器具の本体５００を包むように、シュリンクフィルムで固定することも可能である。
【００７２】
図９に示されるように、本体支持部３００は、照明器具の本体５００の円周上を等間隔で、照明器具の本体５００を支持するように形成されている。そのため、均一的に照明器具の本体５００を固定できる。
【００７３】
そして、図１０に矢印で示されるように、潰れ防止部２００を本体載置部１００に対して略垂直方向に折り曲げた状態で、照明器具の本体５００を梱外箱開口７１０から梱包用外箱７００に収納する。なお、梱包用外箱７００の厚み方向は図１０で、矢印Ｂｄにて示される方向である。
【００７４】
梱包用外箱７００は、例えば、段ボールで形成される。
【００７５】
図１０に示されるように、本体載置部１００に対して略垂直方向に折り曲げられた潰れ防止部２００の段ボールの繊維方向は、梱包用外箱７００の厚み方向である。
【００７６】
そして、潰れ防止部２００と梱包用外箱７００の段ボールの繊維方向とが直交するように、照明器具の本体５００が梱包用外箱７００に収納される。
【００７７】
これにより、梱包用外箱７００に厚み方向に応力がかかったとしても、梱包用外箱７００は潰れにくい。
【００７８】
なお、上述の実施形態では、照明器具の梱包資材９００を組み立ててから、照明器具の本体５００を照明器具の梱包資材９００に梱包し、そして梱包用外箱７００に収納した。
【００７９】
もっとも、このような実施形態に限定されることはなく、照明器具の梱包資材９００を組み立てる前に、本体載置部１００に照明器具の本体５００を載置し、それから照明器具の梱包資材９００を組み立てながら照明器具の本体５００を照明器具の梱包資材９００に梱包し、そして梱包用外箱７００に収納することも可能である。
【００８０】
（実施形態３）
上述の実施形態３では、図１１に示されるように、実施形態２と異なり、潰れ防止部材２００が形成されておらず、本体載置部１００の、図面右斜め上方向、図面右斜め下方向、図面左斜め上方向、図面左斜め下方向、の各辺にそれぞれ本体支持部３００が形成されている。
【００８１】
図１２では、実施形態３に係る照明器具の梱包資材９００に照明器具の本体５００を梱包した様子を説明する。それぞれの本体支持部３００で照明器具の本体５００が支えられる。
【００８２】
実施形態３では、実施形態２よりも照明器具の梱包資材９００を簡易に構成しながら、実施形態１よりも的確に照明器具の本体５００を固定することが可能となる。
【００８３】
なお、この実施形態３では、梱包した照明器具の本体５００を梱包用外箱７００に収納する場合は、図２で示した潰れ防止部材５５０を梱包用外箱７００に収納することができる。この潰れ防止部材５５０は、梱包用外箱７００の厚み方向Ｂｄを支える立体であることが好ましい。
【００８４】
（実施形態４）
上述の実施形態では、延長部２１３の外側面は、下部支持部３２０の内側面と当接していた。
【００８５】
もっとも、このような実施形態に限定されることはなく、図１３に示されるように、延長部２１３の先端部２１３ａを挿入できる挿入スリット３２０ａを、下部支持部３２０の端面部に形成することもできる。
【００８６】
そして、照明器具の梱包資材９００を組み立てる際には、延長部２１３の先端部２１３ａを下部支持部３２０の挿入スリット３２０ａに挿入する。これにより、強固に照明器具の梱包資材９００を組み立てることが可能となる。そのため、下部支持部３２０の外側面と潰れ防止側面部２１２の外側面とをテープ等で接合することを省略することもできる。
【００８７】
（実施形態５）
上述の実施形態では、接合部材６００は、対角線上にある一対の本体支持部３００同士を接合するものであった。
もっとも、このような実施形態に限定されることはなく、図１４に示されるように、折り曲げられた上部支持部３３０の上面と照明器具の本体５００とを跨いで接合部材６００を貼り付け、接合部材６００で、本体支持部３００を照明器具の本体５００に接合することで、照明器具の本体５００を固定することも可能である。
接合部材６００は、実施形態２と同様に、例えばガムテープやセロハンテープ等を用いることができる。ガムテープ等は、実施形態２よりも所定の長さに短く切断する。
また、接合部材６００は、実施形態２と同様に、接着剤を用いることもできる。接着剤を使用する場合は、上部支持部３３０の上面と照明器具の本体５００とを跨ぐように、チューブ等から接着剤を垂らす。そして、所定の時間後に接着剤が固化することで、接着剤は、本体支持部３００と照明器具の本体５００とを接合する接合部材６００となる。
また、実施形態２と同様に、所定の長さに切断した紙テープ及び接着剤を用いることもできる。
本実施形態によれば、実施形態２と異なり、接合部材６００の使用量を減らすことができるので、低コストにて梱包しうる。
【００８８】
（その他の実施形態）
上述の実施形態では、照明器具の梱包資材９００は、段ボールで形成されたが、このような実施形態に限定されることはなく、例えば、厚紙や高分子素材等で形成することも可能である。
【００８９】
上述の実施形態では、一対の本体支持部３００同士を接合部材６００で接合することで、照明器具の本体５００を固定した。もっともこのような実施形態に限定されることはなく、一対の本体支持部３００に形成されている穴部３４０同士に、例えば紐等を通して縛ることにより、照明器具の本体５００を固定することも可能である。
【００９０】
照明器具の本体５００は、本体そのもの、及び、包装紙、保護紙、包装フィルム、保護フィルム等で包まれたもの、を含む。接合部材６００として例えばガムテープ等を用いる場合は、ガムテープの粘着物がグローブに付着することを防止するために、照明器具の本体５００は、例えば包装紙等で包まれていることが望ましい。
【００９１】
折り曲げられた本体支持部３００を、例えば接着剤等の接着部材を介して、照明器具の本体５００に直接的に接合することも可能である。かかる場合は、例えば上部支持部３３０の下面に接着剤を塗布する。そして、下面に接着剤を塗布した上部支持部３３０を、照明器具の本体５００の上面に押しつける。接着剤が固化することで、本体支持部３００は照明器具の本体５００に直接的に接合されて、照明器具の本体５００が固定される。
接着部材としては、接着剤に限定されず、他にも両面接着テープを使用できる。
【００９２】
また、接着部材としては、面ファスナも使用できる。面ファスナを接着部材として使用する場合は、例えば面ファスナのフック部を上部支持部３３０の下面につける。そして、面ファスナのループ部を照明器具の本体５００の上面につける。面ファスナのフック部を取り付けた本体支持部３００を、面ファスナのループ部を取り付けた照明器具の本体５００に押しつける。面ファスナのフック部とループ部とが係合することで、照明器具の本体５００が固定される。
照明器具の本体５００は包装紙等で包み、その包装紙の上に面ファスナのループ部を設けることが好ましい。面ファスナのループ部は、上部支持部３３０の下面につけられた面ファスナのフック部に当接する所定の場所に設けることが好ましい。
照明器具の梱包をほどく場合は、面ファスナのフック部とループ部との係合をはずすことで、簡単に照明器具の本体５００を取り出すことができる。
【図面の簡単な説明】
【００９３】
【図１】実施形態１に係る照明器具の梱包資材を説明する図である。
【図２】実施形態１に係る照明器具の梱包資材を使用して、梱包用外箱に収納するところを説明する図である。
【図３】実施形態２に係る照明器具の梱包資材であり、潰れ防止部材を有する照明器具の梱包資材を説明する図である。
【図４】実施形態２に係る照明器具の梱包資材が組み立てられた状態を説明する図である。
【図５】組み立てられた照明器具の梱包資材を、潰れ防止部の方向から説明する図である。
【図６】組み立てられた照明器具の梱包資材を、一対の潰れ防止部の間の方向から説明する図である。
【図７】組み立てられた照明器具の梱包資材を、垂直上方から説明する図である。
【図８】照明器具の梱包資材に、照明器具の本体を梱包した状態を説明する図である。
【図９】一対の本体支持部同士を接合部材で接合する状態を説明する図である。
【図１０】梱包した照明器具の本体を梱包用外箱に収納するようすを説明する図である。
【図１１】実施形態３に係る照明器具の梱包資材を説明する図である。
【図１２】実施形態３に係る照明器具の梱包資材に、照明器具の本体を梱包したようすを説明する図である。
【図１３】実施形態４に係る照明器具の梱包資材を部分的に説明する図である。
【図１４】実施形態５に係る照明器具の梱包資材を説明する図であり、短く切断した接合部材で固定するようすを説明する図である。
【符号の説明】
【００９４】
１００    本体載置部
２００    潰れ防止部
２１１    潰れ防止本体部
２１２    潰れ防止側面部
２１３    延長部
３００    本体支持部
３２０    下部支持部
３３０    上部支持部
５００    照明器具の本体
５５０    潰れ防止部材
６００    接合部材
７００    梱包用外箱
７１０    外箱開口
９００    照明器具の梱包資材
【図１】
2009234639.tif 000003
【図２】
2009234639.tif 000004
【図３】
2009234639.tif 000005
【図４】
2009234639.tif 000006
【図５】
2009234639.tif 000007
【図６】
2009234639.tif 000008
【図７】
2009234639.tif 000009
【図８】
2009234639.tif 000010
【図９】
2009234639.tif 000011
【図１０】
2009234639.tif 000012
【図１１】
2009234639.tif 000013
【図１２】
2009234639.tif 000014
【図１３】
2009234639.tif 000015
【図１４】
2009234639.tif 000016